(57)【要約】【課題】可動部材を備える遊技機において、動作の途中にある可動部材が目立ってしまうのを抑制すること。【解決手段】第一原位置から第一演出位置に変位することが可能な第一可動部材１０と、第二原位置から第二演出位置に変位することが可能な第二可動部材２０と、前記第一可動部材１０を前記第一演出位置に位置させ、前記第二可動部材２０を前記第二演出位置に位置させる可動演出を実行する演出実行手段と、を備え、前記可動演出を実行する際、前記第一演出位置に向かう前記第一可動部材１０の変位が前記第二演出位置に向かう第二可動部材２０の変位よりも先に開始されることで、当該第二可動部材２０が前記第二演出位置に位置するまでの一部の期間中、当該第二可動部材２０の少なくとも一部が前記第一可動部材１０に覆われた状態となることを特徴とする遊技機１とする。【選択図】図５
2019201937.tif 000002
【特許請求の範囲】
【請求項１】
第一原位置から第一演出位置に変位することが可能な第一可動部材と、
第二原位置から第二演出位置に変位することが可能な第二可動部材と、
前記第一可動部材を前記第一演出位置に位置させ、前記第二可動部材を前記第二演出位置に位置させる可動演出を実行する演出実行手段と、
を備え、
前記可動演出を実行する際、前記第一演出位置に向かう前記第一可動部材の変位が前記第二演出位置に向かう第二可動部材の変位よりも先に開始されることで、当該第二可動部材が前記第二演出位置に位置するまでの一部の期間中、当該第二可動部材の少なくとも一部が前記第一可動部材に覆われた状態となることを特徴とする遊技機。
【請求項２】
前記可動演出は、前記第二可動部材が前記第二原位置から途中位置に変位する第一段階の動作の後、当該途中位置から前記第二演出位置に変位する第二段階の動作が実行されるものであり、
前記第二可動部材の前記第二段階の動作が開始される時点において、前記第一可動部材が前記第一演出位置に位置しているように制御されることを特徴とする請求項１に記載の遊技機。
【請求項３】
前記途中位置に位置する前記第二可動部材が前記第一演出位置に位置する前記第一可動部材に覆われる範囲は、前記第二演出位置に位置する前記第二可動部材が前記第一演出位置に位置する前記第一可動部材に覆われる範囲よりも大きいことを特徴とする請求項２に記載の遊技機。
【請求項４】
第三原位置から第三演出位置に変位することが可能な第三可動部材を備え、
前記第二可動部材は、前記第三可動部材に対し変位することが可能となるように、当該第三可動部材に支持されたものであり、
前記第一段階の動作は、前記第三可動部材が前記第三原位置から前記第三演出位置に変位することに伴って前記第二可動部材が前記途中位置に変位するものであり、
前記第二段階の動作は、前記第三可動部材に対して前記第二可動部材が変位することで、当該第二可動部材が前記途中位置から前記第二演出位置に変位するものである
ことを特徴とする請求項２または請求項３に記載の遊技機。
【発明の詳細な説明】
【技術分野】
【０００１】
本発明は、遊技機に関する。
【背景技術】
【０００２】
可動部材を備える遊技機において、可動部材の動作が完了するまでの時間が長くなると、動作の途中にある可動部材が目立ってしまい、遊技者が興醒めしてしまうおそれがある。このような状況を回避する一つの手法としては、可動部材を高速で動作させるようにすることが考えられる（例えば、下記特許文献１参照）。
【先行技術文献】
【特許文献】
【０００３】
【特許文献１】特開２０１８−３８７９４号公報
【発明の概要】
【発明が解決しようとする課題】
【０００４】
本発明が解決しようとする課題は、可動部材を備える遊技機において、動作の途中にある可動部材が目立ってしまうのを抑制することにある。
【課題を解決するための手段】
【０００５】
上記課題を解決するためになされた本発明にかかる遊技機は、第一原位置から第一演出位置に変位することが可能な第一可動部材と、第二原位置から第二演出位置に変位することが可能な第二可動部材と、前記第一可動部材を前記第一演出位置に位置させ、前記第二可動部材を前記第二演出位置に位置させる可動演出を実行する演出実行手段と、を備え、前記可動演出を実行する際、前記第一演出位置に向かう前記第一可動部材の変位が前記第二演出位置に向かう第二可動部材の変位よりも先に開始されることで、当該第二可動部材が前記第二演出位置に位置するまでの一部の期間中、当該第二可動部材の少なくとも一部が前記第一可動部材に覆われた状態となることを特徴とする。
【発明の効果】
【０００６】
本発明にかかる遊技機によれば、動作の途中にある可動部材が目立ってしまうのを抑制することが可能である。
【図面の簡単な説明】
【０００７】
【図１】本実施形態にかかる遊技機の正面図である。
【図２】表示装置（表示領域）に表示された識別図柄および保留図柄を示した図である。
【図３】可動演出を説明するための図であって、第一可動部材が第一原位置に、第二可動部材が第二原位置に、第三可動部材が第三原位置に位置した状態を示した図である。
【図４】可動演出を説明するための図（図３の続き）であって、第一可動部材が第一演出位置に、第二可動部材が第二原位置に、第三可動部材が第三原位置に位置した状態を示した図である。
【図５】可動演出を説明するための図（図４の続き）であって、第一可動部材が第一演出位置に、第二可動部材が途中位置（相対原位置）に、第三可動部材が第三演出位置に位置した状態を示した図である。
【図６】可動演出を説明するための図（図５の続き）であって、第一可動部材が第一演出位置に、第二可動部材が第二演出位置（相対演出位置）に、第三可動部材が第三演出位置に位置した状態を示した図である。
【図７】第一具体例を説明するための図である。
【図８】第五具体例を説明するための図である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口９０７などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される識別図柄７０（図２参照）の組み合わせによって当否判定結果を遊技者に報知する。具体的には、複数種の識別図柄７０を含む識別図柄群７０ｇ（左識別図柄群７０ｇＬ、中識別図柄群７０ｇＣ、右識別図柄群７０ｇＲ）が変動を開始し、最終的に各識別図柄群７０ｇから一の識別図柄７０が選択されて停止する。大当たりに当選している場合には各識別図柄群７０ｇから選択されて停止した識別図柄７０の組み合わせは所定の組み合わせ（例えば、同じ識別図柄７０の三つ揃い）となる。はずれである場合にはそれ以外（大当たりとなる組み合わせ以外）の組み合わせとなる。なお、各図においては、識別図柄７０を構成する「数字（文字）」のみを図示するが、当該数字とキャラクタ等が組み合わされた図柄を識別図柄７０として設定することができる。
【００１６】
遊技の趣向性を向上させるため、種々の演出が実行される。本実施形態では、当該演出の一種として、可動演出が実行される。可動演出は、第一可動部材１０および第二可動部材２０（図１、図３〜図６等参照）が動作する演出である。以下、これら可動部材について説明する。
【００１７】
第一可動部材１０は、原位置（他の可動部材との原位置と区別するため第一原位置とすることもある）と演出位置（他の可動部材の演出位置と区別するため第一演出位置と称することもある）との間を変位可能に設けられた部材である。本実施形態では、第一可動部材１０として二つの部材（左第一可動部材１０Ｌ、右第一可動部材１０Ｒ）が設けられている。左第一可動部材１０Ｌと右第一可動部材１０Ｒは異なる範囲を変位するものであるが、以下の説明においてはいずれの第一可動部材１０の原位置も第一原位置と、いずれの第一可動部材１０の演出位置も第一演出位置と称する。左第一可動部材１０Ｌ、右第一可動部材１０Ｒの前側には、演出効果を発現する装飾（電飾等を含んでいてもよい）が形成されている。
【００１８】
第一可動部材１０は、ベース部材４０に支持されている。ベース部材４０は、遊技機１の本体側に動かないように固定された枠部材であり、その全部または大部分が遊技盤９０に覆われて（遊技盤９０の後方に位置して）遊技者には視認できない部材である。ベース部材４０は、複数の部材が組み合わされてなるものであってもよい。本実施形態における左第一可動部材１０Ｌおよび右第一可動部材１０Ｒは、その一方側の端部がベース部材４０に対して回動自在に支持されている。左第一可動部材１０Ｌは、第一原位置においてその右側端部がベース部材４０に対し回動自在に支持されている。右第一可動部材１０Ｒは、第一原位置においてその左側端部がベース部材４０に対し回動自在に支持されている（図３参照）。第一可動部材１０を動作させる第一駆動源（図示せず）の動力が伝達されることで、左第一可動部材１０Ｌは上方に向かって時計回り（右側）に回動して第一演出位置に到達する。同様に、左第一可動部材１０Ｌは上方に向かって反時計回り（左側）に回動して第一演出位置に到達する（図４参照）。つまり、左第一可動部材１０Ｌと右第一可動部材１０Ｒは、第一原位置から互いに近づく方向に回動して第一演出位置に到達する。左第一可動部材１０Ｌと右第一可動部材１０Ｒは、第一原位置に位置するとき（図３参照）には、その全部または大部分が遊技盤９０（開口９０１の下側の部分）に覆われた状態にある。第一演出位置に位置する（図４参照）と、その全部または大部分が遊技盤９０の開口９０１を通じて視認可能な状態（表示領域９１１の前側に位置する状態（図１参照））となる。第一可動部材１０の変位は、第一原位置から第一演出位置に向かうにつれて、開口９０１に重なる領域（開口９０１を通じて視認される領域）が増加するような態様を含むものであるともいえる。
【００１９】
なお、第一駆動源の動力を左第一可動部材１０Ｌや右第一可動部材１０Ｒに伝達する動力伝達機構の構造はどのようなものであってもよいから説明を省略する。一の駆動源の動力が左第一可動部材１０Ｌと右第一可動部材１０Ｒの両方に伝達されるものとしてもよいし、左第一可動部材１０Ｌを変位させるための駆動源と右第一可動部材１０Ｒを変位させるための駆動源が別のものであってもよい。本実施形態では、第一原位置に位置する左第一可動部材１０Ｌと右第一可動部材１０Ｒが略同時に動作を開始し、両者が略同時に第一演出位置に到達するように設定されている。
【００２０】
第二可動部材２０は、原位置（他の可動部材との原位置と区別するため第二原位置とすることもある）と演出位置（他の可動部材の演出位置と区別するため第二演出位置と称することもある）との間を変位可能に設けられた部材である。第二可動部材２０の前側には、演出効果を発現する装飾（電飾等を含んでいてもよい）が形成されている。本実施形態における第二可動部材２０は、第三可動部材３０に対し変位可能に支持された部材である。
【００２１】
第三可動部材３０は、原位置（他の可動部材との原位置と区別するため第三原位置とすることもある）と演出位置（他の可動部材の演出位置と区別するため第三演出位置と称することもある）との間を変位可能に設けられた部材である。当該第三可動部材３０は、ベース部材４０に支持されている。本実施形態における第三可動部材３０は、動力伝達部材３１を介してベース部材４０に接続されている。動力伝達部材３１は、その一端がベース部材４０に対し回動自在（回動軸を中心として回動自在）に接続され、他端が第三可動部材３０に接続されている。本実施形態では、第三可動部材３０と動力伝達部材３１は、互いの相対位置を変化させることができないように一方が他方に対し固定された関係にある。第三可動部材３０の前側には、演出効果を発現する装飾（電飾等を含んでいてもよい）が形成されている。
【００２２】
第三可動部材３０は、第三原位置（図３、図４参照）においては、その大部分が遊技盤９０（開口９０１の下側の部分）に覆われた状態にある。第三駆動源（図示せず）の動力が動力伝達部材３１に伝達されることにより、第三可動部材３０が動力伝達部材３１の回動軸を中心として変位し、第三演出位置に到達することになる（図５参照）。第三演出位置に位置すると、第三可動部材３０の全部または大部分が遊技盤９０の開口９０１に重なる（表示領域９１１の前側に位置する）。第三駆動源から動力伝達部材３１までの動力伝達機構はどのようなものであってもよいから説明を省略する。第三可動部材３０は、第一可動部材１０とは別に（独立して）変位させることができるものであればよい。
【００２３】
第二可動部材２０は、第三可動部材３０に対して変位自在に接続されている。図示しないが、本実施形態では、第二可動部材２０と第三可動部材３０の一方にスライドレールが、他方にスライドレールに係合するスライダが設けられており、当該スライドレール内をスライダが移動することにより、第二可動部材２０は第三可動部材３０に対して直線状に変位する。本実施形態では、第二可動部材２０と第三可動部材３０は、ともに略長方形状の部材であり、第二可動部材２０は第三可動部材３０の先端側（回動軸の反対側）から突出する大きさを変化させるように変位する（図５、図６参照）。つまり、第二可動部材２０と第三可動部材３０を一つの演出ユニットとみれば、第三可動部材３０に対して第二可動部材２０が変位することで、両可動部材によって構築されるユニット全体の大きさが変化するかのようなものとなる。本実施形態では、第三可動部材３０の前側に第二可動部材２０が設けられているため、第三可動部材３０に対する第二可動部材２０の変位量が大きくなるほど、第三可動部材３０における第二可動部材２０に覆われずに露出する部分が大きくなる。ただし、当該前後関係を逆にしてもよい。つまり、第三可動部材３０の後側に第二可動部材２０が設けられた構成とし、第三可動部材３０に対する第二可動部材２０の変位量が大きくなるほど、第二可動部材２０における第三可動部材３０に覆われずに露出する部分が大きくなるような設定としてもよい。
【００２４】
第二可動部材２０は、第二駆動源（図示せず）の動力により第三可動部材３０に対して変位する。第二駆動源の動力を第二可動部材２０まで伝達する動力伝達機構はどのようなものであってもよい。本実施形態では、長穴（貫通孔であるかどうかは問わない）が形成され、第二可動部材２０に接続された第一伝達部材２１と、当該長穴に係合する突起が形成され、当該突起が形成された反対側に設定された回動軸を中心として第二駆動源の動力により回動する第二伝達部材２２を有し、第二可動部材２０が変位したときに長穴内を突起がスライドすることで、第二可動部材２０がどのような位置にあっても第二駆動源の動力が第二可動部材２０に伝達されるような動力伝達機構が構築されている。つまり、第二駆動源の動力が、第二可動部材２０にのみ伝達されて（第一可動部材１０や第三可動部材３０には伝達されず）、第二可動部材２０の第三可動部材３０に対する相対的な位置を変化させることができるような動力伝達機構が構築されている。第二可動部材２０は、第一可動部材１０とは別に（独立して）変位させることができるものであるといえる。
【００２５】
詳細を後述するように、第二可動部材２０は、原位置（他の可動部材との原位置と区別するため第二原位置とすることもある）と演出位置（他の可動部材の演出位置と区別するため第二演出位置と称することもある）との間を変位する。第二可動部材２０は、第三可動部材３０に支持されたものであるため、第三可動部材３０が変位することによっても変化する。また、第三可動部材３０に対して相対的に変位することによっても変化する。第三可動部材３０に対する第二可動部材２０の相対的な位置に関し、第三可動部材３０に対して第二可動部材２０が変位していないときにおける位置を相対原位置と、第二駆動源が駆動されて第三可動部材３０に対する第二可動部材２０の変位量が最も大きくなった位置を相対演出位置とすると、第二可動部材２０の第二原位置は、第三可動部材３０が第三原位置にあり、かつ第二可動部材２０が相対原位置に位置した状態における位置（図３、図４に示す位置）である。また、第二可動部材２０の第二演出位置は、第三可動部材３０が第三演出位置にあり、かつ第二可動部材２０が相対演出位置に位置した状態における位置（図６に示す位置）である。
【００２６】
第二可動部材２０および第三可動部材３０は、第一可動部材１０よりも後方に位置する。本実施形態における各可動部材は、平面方向（前後方向に直交する平面に沿う方向）に沿って変位するものであるため、各可動部材がどのような位置に位置しようとも、前後方向における位置関係が変わることはない。上述した通り、本実施形態では、第三可動部材３０の手前側に第二可動部材２０が設けられている。そのため、前後方向における各可動部材の位置関係は、前から、第一可動部材１０（最も前）、第二可動部材２０、第三可動部材３０というようなものとなる。なお、上述した通り、第二可動部材２０と第三可動部材３０の前後関係は逆であってもよい。つまり、第一可動部材１０が、第二可動部材２０や第三可動部材３０よりも前に位置するような設定であればよい。
【００２７】
また、本実施形態では、第三可動部材３０に接続される支持部材３５が設けられている（図３〜図６参照）。支持部材３５は、一端がベース部材４０に接続され、他端が第三可動部材３０に接続されている。支持部材３５は、何らかの駆動源によって変位する部材ではなく、第三可動部材３０が変位したときに、当該第三可動部材３０の変位に合わせて変位する部材（第三可動部材３０に従動するもの）である。第三可動部材３０と支持部材３５の接続箇所は、第三可動部材３０の回動軸の反対側に設定されている。第三可動部材３０に対し第二可動部材２０が変位したときには、第二可動部材２０の勢いにより第三可動部材３０の先端側（回動軸の反対側）がぶれてしまうおそれがある。支持部材３５は、当該第三可動部材３０の「ぶれ」を抑制するためのものである。当該支持部材３５により、第三可動部材３０に支持される第二可動部材２０の「ぶれ」も抑制される。
【００２８】
本実施形態における可動演出は、次のような流れで各可動部材が動作する。各可動部材が原位置に位置した状態（図３参照）から、第一駆動源を駆動し、第一可動部材１０を第一原位置から第一演出位置に変位させる。このとき、第二可動部材２０や第三可動部材３０は原位置に位置したままとされる（第二駆動源や第三駆動源は駆動していない）（図４参照）。つまり、第一演出位置に向かう第一可動部材１０の変位が、第二演出位置に向かう第二可動部材２０の変位や第三演出位置に向かう第三可動部材３０の変位よりも先に開始される。本実施形態では、第一可動部材１０が第一演出位置に到達するまで、第二可動部材２０や第三可動部材３０は原位置に位置したままとされる。
【００２９】
第一可動部材１０が第一演出位置に到達した後、第三駆動源を駆動し、第三可動部材３０を第三原位置から第三演出位置に向かって変位させる（図５参照）。この際、第三可動部材３０が第三演出位置に到達するまでは、第二駆動源を駆動しない。つまり、第三可動部材３０に対する第二可動部材２０の位置を変位させない。換言すれば、第二可動部材２０を相対原位置に位置させたまま、第三可動部材３０を第三演出位置に位置させる。第二可動部材２０は、第三可動部材３０に対する相対的な位置については変化していないが、第三可動部材３０の変位に伴ってその位置を変化させることになる。第三可動部材３０が第三演出位置に位置し、かつ第二可動部材２０が相対原位置に位置するときにおける第二可動部材２０の位置（絶対的な位置）を途中位置とすると、上記第三可動部材３０の第三原位置から第三演出位置への変位に伴って、第二可動部材２０が第二原位置から途中位置まで変位する（以下、このような第二可動部材２０および第三可動部材３０の変位を、第一段階の動作と称することもある）ということになる。
【００３０】
このように変位する第二可動部材２０および第三可動部材３０の少なくとも一部は、予め第一演出位置に到達している第一可動部材１０に覆われる。具体的には、第一演出位置に位置する第一可動部材１０は、その全部または大部分が遊技盤９０に形成された開口９０１を通じて視認可能な状態となるものであるところ、当該第一可動部材１０の視認可能な部分は、変位する第二可動部材２０および第三可動部材３０の軌跡の前側に位置する。換言すれば、仮に第一可動部材１０が第一演出位置に位置していなかったとすると（第一原位置に位置していたとすると）、途中位置に向かって変位する第二可動部材２０および第三演出位置に向かって変位する第三可動部材３０の少なくとも一部が遊技盤９０に形成された開口９０１を通じてそのまま視認されるものの、第一可動部材１０が第一演出位置に位置していることで、変位する第二可動部材２０および第三可動部材３０の少なくとも一部が覆われて視認できない状態となる。すなわち、第一可動部材１０が第一演出位置に位置している分、第二可動部材２０および第三可動部材３０の視認可能な範囲が狭まるため、変位する両可動部材が視認されにくい状態となる。
【００３１】
第一段階の動作が完了した時点、すなわち第二可動部材２０が途中位置に、第三可動部材３０が第三演出位置に位置した状態においても、第二可動部材２０および第三可動部材３０の少なくとも一部は第一演出位置に位置する第一可動部材１０に覆われた状態にある（図５参照）。つまり、第一演出部材が第一演出位置に位置していなければ（第一原位置に位置していれば）開口９０１を通じて視認される第二可動部材２０および第三可動部材３０の少なくとも一部が正対する遊技者には視認できない状態にある。
【００３２】
第一段階の動作が完了した後、第二駆動源を駆動する。これにより、第三可動部材３０が第三演出位置に位置した状態のまま、当該第三可動部材３０に対して第二可動部材２０が変位する。すなわち、第二可動部材２０は、第三可動部材３０に対する相対的な位置を相対原位置から相対演出位置に変化させる（図６参照）。これにより、第二可動部材２０が第二演出位置に到達することになる（以下、このような第一段階の動作完了後の第二可動部材２０の変位を第二段階の動作と称することもある）。なお、本実施形態では、第一段階の動作が完了した後即座に第二段階の動作が実行される。つまり、第一段階の動作と第二段階の動作は連続したものであり、両動作を第二可動部材２０と第三可動部材３０による一連の動作とみることもできる。また、第二可動部材２０が第二原位置から第二演出位置に向かって変位する一連の動作とみることもできる。上述した通り、当該変化は、第二可動部材２０が第三可動部材３０の先端側（回動軸の反対側）から突出する大きさを変化させるようなものである。第一可動部材１０との関係においては、第一段階の動作が完了した時点よりも、第二段階の動作が完了した時点の方が、第二可動部材２０における第一可動部材１０に覆われずに露出する範囲が大きくなることになる。本実施形態では、第一段階の動作が完了した後、第二段階の動作が実行されることで、第一演出位置に位置する第一可動部材１０（右第一可動部材１０Ｒ）の右側から露出する第二可動部材２０の範囲が大きくなるような変化が生じる。遊技者の視点で言えば、第一段階の動作中は第一可動部材１０に覆われることで第二可動部材２０の動きが見えにくく、第二段階の動作により第二可動部材２０が大きく露出するというような演出態様となる。
【００３３】
このように、本実施形態にかかる遊技機１では、可動演出の際、第一演出位置に向かう第一可動部材１０の変位が、第二演出位置に向かう第二可動部材２０の変位よりも先に開始されることで、変位する第二可動部材２０が第一可動部材１０に覆われる。第一可動部材１０および第二可動部材２０は、それぞれの動作を独立して制御することが可能なものであり、両可動部材の変位が同時に開始されるようにすることも可能であるが、敢えて第一可動部材１０の変位が第二可動部材２０の変位よりも先に開始されるようにしている。このようにすることで、動作の途中にある第二可動部材２０が目立ってしまうのが抑制される。また、本実施形態では、第三演出位置に向かう第三可動部材３０も第一可動部材１０に覆われることになるため、動作の途中にある第三可動部材３０が目立ってしまうのが抑制される。第二可動部材２０や第三駆動部材の動作速度を高めることが困難またはコストアップを招くがゆえ、第二可動部材２０や第三駆動部材の動作が遅いといった状況において特に有効であるといえる。
【００３４】
特に、本実施形態では、第一可動部材１０が第一演出位置に到達した後、第二可動部材２０および第三可動部材３０の変位（第一段階の動作）が開始されるから、変位する第二可動部材２０および第三可動部材３０が目立ちにくい。
【００３５】
また、本実施形態では、第一可動部材１０が第一演出位置に到達した後、第二可動部材２０の第二段階の動作が実行される。このようにすることで、その全部または一部が第一可動部材１０に覆われていた第二可動部材２０が、当該第二段階の動作により大きく露出するというような面白みのある演出形態が構築される。
【００３６】
以下、上記実施形態にかかる遊技機１を改良、変形、具体化等した具体例について説明する。なお、以下の具体例を用いて説明する技術的事項を複数組み合わせて適用した構成としてもよい。
【００３７】
○第一具体例
上記実施形態における第二可動部材２０は、第三可動部材３０に支持された部材であること、すなわち第三可動部材３０が変位したときには、それとともに変位する部材であることを説明したが、このような部材でなくてもよい。端的にいえば、第三可動部材３０に相当するものが設けられていない構成としてもよい。例えば以下のような構成とすることが考えられる。
【００３８】
第二可動部材２０は、他の部材の変位に伴ってではなく、それ自体が変位することで、第二原位置と第二演出位置との間を変位するものとする。そして、第一可動部材１０と第二可動部材２０の両方を動作させる可動演出を実行するに際し、第一演出位置に向かう第一可動部材１０の変位が第二演出位置に向かう第二可動部材２０の変位よりも先に開始されるようにする（図７参照）。第一可動部材１０と第二可動部材２０は、先に変位した第一可動部材１０により、第二演出位置に向かう第二可動部材２０の少なくとも一部が覆われるような位置関係にあるものとする。このようにしても、動作の途中にある第二可動部材２０が目立ってしまうのが抑制される。好ましくは、第一可動部材１０が第一演出位置に到達した後、第二演出位置に向かう第二可動部材２０の動作が開始されるようにする（図７（ｂ）（ｃ）参照）とよい。
【００３９】
○第二具体例
上記実施形態では、第一可動部材１０として左第一可動部材１０Ｌおよび右第一可動部材１０Ｒの二つが設けられていることを説明したが、一の第一可動部材１０が設けられた構成としてもよい。また、三つ以上の第一可動部材１０が設けられた構成としてもよい。また、複数の第二可動部材２０や第三可動部材３０が設けられた構成としてもよい。
【００４０】
○第三具体例
上記実施形態では、第一可動部材１０が第一演出位置に到達した後、第二可動部材２０および第三可動部材３０の変位が開始されることを説明したが、第一可動部材１０が第一演出位置に向かう変位を開始した後であって、第一可動部材１０が第一演出位置に到達するよりも前に、第二可動部材２０および第三可動部材３０の変位（第一段階の動作）が開始されることがあってもよい。
【００４１】
このように設定されていても、先に変位を開始した第一演出位置に向かう第一可動部材１０により、その後変位を開始した第二可動部材２０および第三可動部材３０の少なくとも一部が覆われるから、動作の途中にある第二可動部材２０や第三可動部材３０が目立ってしまうのが抑制される。すなわち、第一可動部材１０の変位の開始と第二可動部材２０および第三可動部材３０の変位の開始が同時、または第一可動部材１０の変位の開始よりも第二可動部材２０および第三可動部材３０の変位の開始が早い構成とする場合よりも、第一可動部材１０の変位の開始が第二可動部材２０および第三可動部材３０の変位の開始よりも早い構成とした場合の方が、第一可動部材１０がより早く遊技盤９０に形成された開口９０１を通じて視認可能な状態となるということであるから、動作途中にある第二可動部材２０および第三可動部材３０が第一可動部材１０によって覆われる作用（被覆作用）が高められることになる。ただし、上記実施形態のように、第一可動部材１０が第一演出位置に到達した後、第二可動部材２０および第三可動部材３０の変位が開始されるようにすれば、第一可動部材１０による被覆作用がより確実に発現されるものとなるといえる。
【００４２】
○第四具体例
上記実施形態では、第一可動部材１０が第一演出位置に向かう変位を開始した後に、第二可動部材２０および第三可動部材３０が変位を開始することを説明したが、当該変位の開始タイミングの遅早（前後）は変更することも可能である。当該変位の開始タイミングの遅早によらず、第一可動部材１０が第一演出位置に到達する時点が、第一段階の動作が終了する時点（すなわち第二可動部材２０が途中位置に、第三可動部材３０が第三演出位置に到達する時点）よりも前である設定であればよい。
【００４３】
このように、先に第一可動部材１０が第一演出位置（遊技盤９０に形成された開口９０１に重なる範囲が最も大きい状態）に到達するようにすれば、動作途中にある第二可動部材２０および第三可動部材３０が第一演出位置に位置する第一可動部材１０に覆われる状況が生じ、当該動作途中にある第二可動部材２０および第三可動部材３０が目立たなくなるという作用が奏される。
【００４４】
○第五具体例
第二可動部材２０が第二原位置から第二演出位置に向かって変位を開始し、第二演出位置に到達するよりも前の途中時点、または第二演出位置に到達した後、第一可動部材１０が第一原位置に戻り、第二演出位置に位置する第二可動部材２０による演出が実行されるものとする（図８参照）。つまり、最終的に第一可動部材１０と第二可動部材２０が組み合わされたかのような演出形態が構築されるというものではなく、第二可動部材２０（上記実施形態のように第二可動部材２０が第三可動部材３０に支持された構成とするのであれば第二可動部材２０および第三可動部材３０）が遊技者に示される演出態様とする。このようにすれば、まず遊技者に対して第一可動部材１０が示された後、当該第一可動部材１０によって動作が見えにくくされた第二可動部材２０が示されるという流れの演出となる。
【００４５】
このように、可動演出において最終的に遊技者に示されるものが、第一可動部材１０と第二可動部材２０の両方である必要はなく、演出の途中で第一可動部材１０が第一原位置に戻る構成としてもよい。
【００４６】
以上、本発明の実施の形態について詳細に説明したが、本発明は上記実施の形態に何ら限定されるものではなく、本発明の要旨を逸脱しない範囲で種々の改変が可能である。
【００４７】
上記実施形態にかかる遊技機１はいわゆるぱちんこ遊技機であるが、可動する部材を備えた遊技機であれば、回動式遊技機等の異なる遊技機に対しても同様の技術思想が適用可能である。
【００４８】
上記実施形態から得られる具体的手段（遊技機）を以下に列挙する。
【００４９】
・手段１
第一原位置から第一演出位置に変位することが可能な第一可動部材と、
第二原位置から第二演出位置に変位することが可能な第二可動部材と、
前記第一可動部材を前記第一演出位置に位置させ、前記第二可動部材を前記第二演出位置に位置させる可動演出を実行する演出実行手段と、
を備え、
前記可動演出を実行する際、前記第一演出位置に向かう前記第一可動部材の変位が前記第二演出位置に向かう第二可動部材の変位よりも先に開始されることで、当該第二可動部材が前記第二演出位置に位置するまでの一部の期間中、当該第二可動部材の少なくとも一部が前記第一可動部材に覆われた状態となることを特徴とする遊技機。
上記遊技機によれば、動作途中にある第二可動部材が目立ってしまうのが第一可動部材により抑制される。
【００５０】
・手段２
前記可動演出は、前記第二可動部材が前記第二原位置から途中位置に変位する第一段階の動作の後、当該途中位置から前記第二演出位置に変位する第二段階の動作が実行されるものであり、
前記第二可動部材の前記第二段階の動作が開始される時点において、前記第一可動部材が前記第一演出位置に位置しているように制御されることを特徴とする手段１に記載の遊技機。
このようにすることで、第一可動部材が第一演出位置に位置した後、第二可動部材が変位するという面白みのある演出形態を構築することが可能である。
【００５１】
・手段３
前記途中位置に位置する前記第二可動部材が前記第一演出位置に位置する前記第一可動部材に覆われる範囲は、前記第二演出位置に位置する前記第二可動部材が前記第一演出位置に位置する前記第一可動部材に覆われる範囲よりも大きいことを特徴とする手段２に記載の遊技機。
このようにすることで、第一可動部材が第一演出位置に位置した後、第二可動部材が大きく露出するという面白みのある演出形態を構築することが可能である。
【００５２】
・手段４
第三原位置から第三演出位置に変位することが可能な第三可動部材を備え、
前記第二可動部材は、前記第三可動部材に対し変位することが可能となるように、当該第三可動部材に支持されたものであり、
前記第一段階の動作は、前記第三可動部材が前記第三原位置から前記第三演出位置に変位することに伴って前記第二可動部材が前記途中位置に変位するものであり、
前記第二段階の動作は、前記第三可動部材に対して前記第二可動部材が変位することで、当該第二可動部材が前記途中位置から前記第二演出位置に変位するものである
ことを特徴とする手段２または手段３に記載の遊技機。
このようにすることで、動作途中にある第三可動部材が目立ってしまうのが第一可動部材により抑制される。
【符号の説明】
【００５３】
１  遊技機
１０  第一可動部材（１０Ｌ  左第一可動部材  １０Ｒ  右第一可動部材）
２０  第二可動部材
３０  第三可動部材
４０  ベース部材
【図１】
2019201937.tif 000003
【図２】
2019201937.tif 000004
【図３】
2019201937.tif 000005
【図４】
2019201937.tif 000006
【図５】
2019201937.tif 000007
【図６】
2019201937.tif 000008
【図７】
2019201937.tif 000009
【図８】
2019201937.tif 000010